(57)【要約】【課題】ホルダー部材が把持板の端部から突出することなくビス等を捩じ込んだり緩めたりする作業に支障をきたすことなく、しかもホルダー部材が緩んでツール部の把持板への保持に支障をきたすことがなく、さらにツール部の取り替えが非常に容易なオフセット型ドライバーを提供する。【解決手段】ツール部１、把持板２及びホルダー部材３とからなり、ツール部は短寸とし、一端側に先端部１ａを設け、他端側に保持部１ｂを設けると共に、この保持部を磁石に吸着される材質からなるものとし、把持板は金属板４と合成樹脂板５を重ね合わせて固着したものとし、金属板の一端部に、ツール部の保持部が回動不能に嵌り込む嵌合孔４ａを貫通形成し、合成樹脂板の一端部に、嵌合孔４ａに対応する位置に嵌合穴５ａを凹設したものとし、ホルダー部材は磁石からなるものとし、このホルダー部材が前記合成樹脂板の嵌合穴５ａに嵌り込んで保持されるようにした。【選択図】図２
0003138558.tif 000002
【実用新案登録請求の範囲】
【請求項１】
ツール部（１）、把持板（２）及びホルダー部材（３）とからなり、前記ツール部（１）は短寸とし、一端側に先端部（１ａ）を設け、他端側に保持部（１ｂ）を設けると共に、この保持部（１ｂ）を磁石に吸着される材質からなるものとし、前記把持板（２）は金属板（４）と合成樹脂板（５）を重ね合わせて固着したものとし、金属板（４）の一端部に、前記ツール部（１）の保持部（１ｂ）が回動不能に嵌り込む嵌合孔（４ａ）を貫通形成し、合成樹脂板（５）の一端部に、前記嵌合孔（４ａ）に対応する位置に嵌合穴（５ａ）を凹設したものとし、前記ホルダー部材（３）は磁石からなるものとし、このホルダー部材（３）が前記合成樹脂板（５）の嵌合穴（５ａ）に嵌り込んで保持されるようにしたことを特徴とするオフセット型ドライバー。
【請求項２】
前記ツール部（１）の保持部（１ｂ）を角柱状とし、前記把持板（２）の金属板（４）の嵌合孔（４ａ）を前記ツール部（１）の保持部（１ｂ）が丁度嵌り込む角孔としたことを特徴とする請求項１記載のオフセット型ドライバー。
【請求項３】
前記把持板（２）の金属板（４）の他端部にボルトやナットを嵌め込んで捩じ込んだり緩めたりする嵌合孔（４ｂ）を貫通形成すると共に、前記把持板（２）の合成樹脂板（５）の他端部に前記嵌合孔（４ｂ）に対応する位置に嵌合孔（５ｂ）を貫通形成し、この嵌合孔（５ｂ）の孔壁面に前記ボルトやナットを保持する小突起（６）を形成したことを特徴とする請求項１記載のオフセット型ドライバー。
【請求項４】
前記ホルダー部材（３）を円盤形状にし、前記金属板（４）の嵌合孔（４ａ）を六角孔とし、前記ホルダー部材（３）の円周をこの六角孔の外接円になるようにしたことを特徴とする請求項１記載のオフセット型ドライバー。
【請求項５】
前記把持板（２）を長手方向における中間位置で１０〜２０度の曲げ角度を持たせたことを特徴とする請求項１記載のオフセット型ドライバー。
【請求項６】
前記把持板（２）の合成樹脂板（５）の曲げ位置に溝（８）を形成して、その曲げ位置を薄くしたことを特徴とする請求項５記載のオフセット型ドライバー。
【考案の詳細な説明】
【技術分野】
【０００１】
この考案は、狭い作業空間において、ビス等を捩じ込んだり緩めたりするのに適したオフセット型ドライバーに関するものである。
【背景技術】
【０００２】
従来、この種のオフセット型ドライバーとしては、例えば図１１、１２に示したように、ツール部１１、把持板１２及びホルダー部材１３とからなるものが存在する。
【０００３】
前記ツール部１１は、短寸のビット等としており、一端側に刃部１１ａを設け、中間部を保持部1 １ｂとし、他端側に基端部１１ｃを一体的に設けたものとし、この刃部１１ａと基端部１１ｃには、保持部１１ｂを除きリング状の係止溝１４ａ、１４ｂが凹設されている。保持部１１ｂの寸法は、後に述べる把持板１２の板厚ｔと略同一の寸法からなるものとしている。
【０００４】
前記把持板１２は、板厚ｔの細長の板からなり、その一端部には六角孔１２ａが貫通形成されている。この六角孔１２ａは、前記ツール部１１の基端部１１ｃが嵌り込む形状、寸法としている。
【０００５】
前記ホルダー部材１３は、薄板を略コ字状に折り曲げたものとしており、内幅寸法は把持板１２の板厚ｔと略同寸法とし、略コ字状に折り曲げられた向い合う折曲片１３ａにはツール部１１の係止溝１４ａ、１４ｂに嵌り込む内径を有する略半円状の係着部１３ｂ、１３ｂが形成されている。
【０００６】
そして、これらツール部１１、把持板１２及びホルダー部材１３とからなるオフセット型ドライバーを組み立てるには、先ず把持板１２の六角孔１２ａにツール部１１を挿入するが、ツール部１１の保持部１１ｂは把持板１２の板厚ｔと略同一の寸法からなるため、把持板１２の表裏面には係止溝１４ａ、１４ｂが近接して露出する。この状態で把持板１２の端縁側からホルダー部材１３を挿入し、その係着部１３ｂ、１３ｂをツール部１１の係止溝１４ａ、１４ｂに嵌め込むことにより、ツール部１１は把持板１２に回動不能に保持されるようにしている（特許文献１）。
【特許文献１】実用新案登録第３１２０７６２号公報（第３、４頁、図１〜４）
【考案の開示】
【考案が解決しようとする課題】
【０００７】
しかしながら、上記従来のオフセット型ドライバーでは、ホルダー部材１３の略コ字状に折り曲げた部分の一部が把持板１２の端部から突出するので、ビス等を捩じ込んだり緩めたりする場合に、前記ホルダー部材１３の突出部分が狭い作業空間においては邪魔になることがあり、その作業に支障をきたすことがあるという問題点を有していた。
【０００８】
さらに、上記従来のオフセット型ドライバーでは、前記ホルダー部材１３の突出部分が作業面等に当たったりした場合、ホルダー部材１３が緩んでツール部１１の把持板１２への保持に支障をきたす場合があるという問題点を有していた。
【０００９】
また、上記従来のオフセット型ドライバーでは、ホルダー部材１３の係着部１３ｂ、１３ｂをツール部１１の係止溝１４ａ、１４ｂに嵌め込むことにより、ツール部１１を把持板１２に保持しているため、前記係着部１３ｂ、１３ｂの係止溝１４ａ、１４ｂへの嵌め込みを解除すれば、ツール部１１を把持板１２から外し、ツール部１１を別のものに取り替えることができるが、その嵌め込みの解除作業が困難であり、ツール部１１の取り替えが困難であるという問題点を有していた。
【００１０】
そこで、この考案は、上記従来の問題点を解決するものであり、ホルダー部材が把持板の端部から突出することなくビス等を捩じ込んだり緩めたりする作業に支障をきたすことなく、しかもホルダー部材が緩んでツール部の把持板への保持に支障をきたすことがなく、さらにツール部の取り替えが非常に容易なオフセット型ドライバーを提供することを目的としてなされたものである。
【課題を解決するための手段】
【００１１】
この考案のオフセット型ドライバーは、ツール部１、把持板２及びホルダー部材３とからなり、前記ツール部１は短寸とし、一端側に先端部１ａを設け、他端側に保持部１ｂを設けると共に、この保持部１ｂを磁石に吸着される材質からなるものとし、前記把持板２は金属板４と合成樹脂板５を重ね合わせて固着したものとし、金属板４の一端部に、前記ツール部１の保持部１ｂが回動不能に嵌り込む嵌合孔４ａを貫通形成し、合成樹脂板５の一端部に、前記嵌合孔４ａに対応する位置に嵌合穴５ａを凹設したものとし、前記ホルダー部材３は磁石からなるものとし、このホルダー部材３が前記合成樹脂板５の嵌合穴５ａに嵌り込んで保持されるようにしたものとしている。
【００１２】
そして、この考案のオフセット型ドライバーは、前記ツール部１の保持部１ｂを角柱状とし、前記把持板２の金属板４の嵌合孔４ａを前記ツール部１の保持部１ｂが丁度嵌り込む角孔としたものとしている。
【００１３】
さらに、この考案のオフセット型ドライバーは、前記把持板２の金属板４の他端部にボルトやナットを嵌め込んで捩じ込んだり緩めたりする嵌合孔４ｂを貫通形成すると共に、前記把持板２の合成樹脂板５の他端部に前記嵌合孔４ｂに対応する位置に嵌合孔５ｂを貫通形成し、この嵌合孔５ｂの孔壁面に前記ボルトやナットを保持する小突起６を形成したものとしている。
【００１４】
また、この考案のオフセット型ドライバーは、前記ホルダー部材３を円盤形状にし、前記金属板４の嵌合孔４ａを六角孔とし、前記ホルダー部材３の円周をこの六角孔の外接円になるようにしている。
【００１５】
さらに、この考案のオフセット型ドライバーは、前記把持板２を長手方向における中間位置で１０〜２０度の曲げ角度を持たせたものとしている。
【００１６】
また、この考案のオフセット型ドライバーは、前記把持板２の合成樹脂板５の曲げ位置に溝８を形成して、その曲げ位置を薄くしたものとしている。
【考案の効果】
【００１７】
この考案のオフセット型ドライバーは、以上に述べたように構成されているので、ホルダー部材が把持板の端部から突出することがないので、ビス等を捩じ込んだり緩めたりする作業に支障をきたすことなく、しかもホルダー部材が緩んでツール部の把持板への保持に支障をきたすことがなく、さらにツール部の取り替えが非常に容易なものとなり、ビス等を捩じ込んだり緩めたりする作業をより効率良く行えるものとなる。
【考案を実施するための最良の形態】
【００１８】
以下、この考案のオフセット型ドライバーを実施するための最良の形態を、図面に基づいて詳細に説明する。
【００１９】
この考案のオフセット型ドライバーは、図１〜５に示したように、ツール部１、把持板２及びホルダー部材３とからなるものとしている。
【００２０】
前記ツール部１は、１〜３ｃｍ程度の短寸のビット等としており、一端側に先端部１ａを設け、他端側に保持部１ｂを設けたものとしている。そして、この保持部１ｂは、磁石に吸着される材質からなるものとしている。なお、前記先端部１ａは、図示したものではプラス頭としているが、マイナス頭、六角頭、六角穴など、ドライバーによる作業に適したものとすることができる。また、前記保持部１ｂは、図示したものでは六角柱状としているが、四角柱、八角柱などの角柱状とすることができる。
【００２１】
前記把持板２は、細長の二枚の板体を重ね合わせて固着したものとしており、下になる板体を金属板４とし、上になる板体を合成樹脂板５としている。
【００２２】
前記金属板４の一端部には、嵌合孔４ａが貫通形成されている。この嵌合孔４ａは、例えば六角孔として、前記ツール部１の保持部１ｂが回動不能に嵌り込むように、その保持部１ｂが丁度嵌り込む形状、寸法としている。前記金属板４は、その他端部にも嵌合孔４ｂを貫通形成したものとすることができる。この嵌合孔４ｂは、六角ボルトや六角ナット等を捩じ込んだり緩めたりするために設けられており、その六角ボルトや六角ナット等が丁度嵌り込む形状、寸法としている。なお、前記金属板４の嵌合孔４ａは、ツール部１の保持部１ｂを四角柱、八角柱などの六角柱以外の角柱状にした場合には、六角孔ではなくその角柱に応じた角孔が貫通形成されるのはいうまでもない。さらに、前記金属板４の板厚は、１〜３ｍｍ程度にすることができるが、ドライバーとして使用できる強度を有する板厚であれば特に限定されない。
【００２３】
前記合成樹脂板５の一端部には、前記嵌合孔４ａに対応する位置に嵌合穴５ａが凹設されている。この嵌合穴５ａは、例えば丸孔として、後に述べるようにホルダー部材３が嵌り込んで保持されるようにしている。前記合成樹脂板５は、その他端部にも前記嵌合孔４ｂに対応する位置に嵌合孔５ｂを貫通形成したものとすることができる。この嵌合孔５ｂは、前記嵌合孔４ｂに嵌め込まれた六角ボルトや六角ナットが落下しないようにそれらの上端を保持しておくための小突起６をその孔壁面に複数個、形成したものとしている。なお、前記合成樹脂板５の嵌合穴５ａは、ホルダー部材３が丁度嵌り込む形状、寸法とするのが好ましく、ホルダー部材３の形状、寸法に合わせて形成される。
【００２４】
さらに、前記金属板４と合成樹脂板５を重ね合わせて固着するには、金属板４に複数の小孔４ｃを設けると共に、これら小孔４ｃにそれぞれ対応する小孔５ｃを合成樹脂板５に設け、リベット７をこれら小孔４ｃ、５ｃに貫通させ、カシメ止めすることにより行うことができるが、強力な接着剤によって、金属板４と合成樹脂板５が剥がれないように接着しておくこともできる。
【００２５】
また、前記把持板２は、図６〜１０に示したように、長手方向における略１／３長の位置で１０〜２０度の曲げ角度を持たせたものとすることもできる。この場合、合成樹脂板５の曲げ位置に溝８を形成して、その曲げ位置を薄くしておけば、合成樹脂板５の曲げ変形による割れを緩和することができる。このようにすることにより、狭い作業空間において把持板２をその作業面から浮き上がらせることができ、把持板２が把持し易いものとなる。
【００２６】
前記ホルダー部材３は、磁石からなるものとしており、円盤形状などにして前記合成樹脂板５に凹設された嵌合穴５ａに丁度嵌め込むまれている。前記ホルダー部材３を円盤形状にし、合成樹脂板５の嵌合穴５ａに丁度嵌り込むようにするとき、前記金属板４に貫通形成した嵌合孔４ａを六角孔とした場合、前記ホルダー部材３の円周をこの六角孔の外接円になるようにすれば、ホルダー部材３の下部が前記嵌合孔４ａの周囲に当たって、嵌合穴５ａから抜け落ちることがないものとなる。
【００２７】
そして、これらツール部１、把持板２及びホルダー部材３とからなるこの考案のオフセット型ドライバーを使用するには、ツール部１の先端部１ａを摘んで、その保持部１ｂを金属板４の嵌合孔４ａの嵌め込めばよい。このようにすると、ツール部１の保持部１ｂが磁石からなるホルダー部材３に吸着され、ツール部１は金属板４の嵌合孔４ａから外れて落下してしまうことのないものとなる。
【００２８】
さらに、前記ツール部１の先端部１ａをプラス頭のものから、マイナス頭、六角頭などのものに取り替えるには、そのツール部１の先端部１ａであるプラス頭を摘んで、保持部１ｂを金属板４の嵌合孔４ａから引き抜き、取り替えるツール部１の先端部１ａを摘んで、その保持部１ｂを再度、金属板４の嵌合孔４ａに嵌め込めばよい。
【００２９】
以上のように構成したこの考案のオフセット型ドライバーは、短寸のツール部１がホルダー部材３によって把持板２に、そのホルダー部材３が把持板２から突出することなく、回動不能に保持されるので、狭い作業空間において、把持板２の他端部を手で把持して、ビス等を捩じ込んだり緩めたりする作業に支障をきたさないものとなる。さらに、この考案のオフセット型ドライバーは、ツール部１の取り替えが非常に容易なものとなるので、狭い作業空間におけるおビス等を捩じ込んだり緩めたりする作業をより効率良く行えるものとなる。
【図面の簡単な説明】
【００３０】
【図１】この考案のオフセット型ドライバーの一実施形態を示す斜視図である。
【図２】図１に示すこの考案のオフセット型ドライバーの分解斜視図である。
【図３】図１に示すこの考案のオフセット型ドライバーのツール部を外した状態の斜め上から見た斜視図である。
【図４】図１に示すこの考案のオフセット型ドライバーのツール部を外した状態の斜め下から見た斜視図である。
【図５】図１に示すこの考案のオフセット型ドライバーの断面図である。
【図６】この考案のオフセット型ドライバーの他の実施形態を示す斜視図である。
【図７】図６に示すこの考案のオフセット型ドライバーの分解斜視図である。
【図８】図６に示すこの考案のオフセット型ドライバーのツール部を外した状態の斜め上から見た斜視図である。
【図９】図６に示すこの考案のオフセット型ドライバーのツール部を外した状態の斜め下から見た斜視図である。
【図１０】図６に示すこの考案のオフセット型ドライバーの断面図である。
【図１１】従来のオフセット型ドライバーの一例を示す斜視図である。
【図１２】図１１に示す従来のオフセット型ドライバーの分解斜視図である。
【符号の説明】
【００３１】
１  ツール部
１ａ  先端部
１ｂ  保持部
２  把持板
３  ホルダー部材
４  金属板
４ａ  嵌合孔
４ｂ  嵌合孔
５  合成樹脂板
５ａ  嵌合孔
５ｂ  嵌合孔
６  小突起
８  溝
【図１】
0003138558.tif 000003
【図２】
0003138558.tif 000004
【図３】
0003138558.tif 000005
【図４】
0003138558.tif 000006
【図５】
0003138558.tif 000007
【図６】
0003138558.tif 000008
【図７】
0003138558.tif 000009
【図８】
0003138558.tif 000010
【図９】
0003138558.tif 000011
【図１０】
0003138558.tif 000012
【図１１】
0003138558.tif 000013
【図１２】
0003138558.tif 000014